(57)【要約】【課題】ユーザの在宅可能性が高い場合に限定して在宅確認を実行する。【解決手段】ユーザ携帯端末２０は充電器１０の装着または取り外しを契機に位置情報を取得し、前記装着時には取得した位置情報と装着情報とを、前記取り外し時には取得した位置情報と取り外し情報とをそれぞれ在宅管理サーバ４０に送信し、在宅管理サーバ４０は受信した位置情報が予め登録されたユーザ自宅の位置情報であるかを照合し、ユーザ自宅の位置情報であった場合に、前記装着情報受信時には在宅開始情報を登録するとともにユーザ在宅通知を生成して訪問担当者携帯端末５０に送信し、前記取り外し情報受信時には在宅終了情報を登録する。【選択図】      図１
2006020075.tif 000002
【特許請求の範囲】
【請求項１】
充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記装着検出を契機として位置情報を取得する手段と、取得した位置情報を前記在宅管理サーバに送信する手段とを有し、
前記在宅管理サーバは、受信した位置情報が予め登録されたユーザ自宅の位置情報であるかを照合する手段と、照合の結果、ユーザ自宅の位置情報であった場合に、ユーザ在宅通知を生成して外部端末に送信する手段とを有することを特徴とする在宅確認システム。
【請求項２】
充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、前記装着検出時には装着情報と前記位置情報とを、前記取り外し検出時には取り外し情報と前記位置情報とをそれぞれ前記在宅管理サーバに送信する手段とを有し、
前記在宅管理サーバは、受信した位置情報が予め登録されたユーザ自宅の位置情報であるかを照合する手段と、照合の結果、ユーザ自宅の位置情報であった場合に、前記装着情報受信時には在宅開始情報を登録するとともにユーザ在宅通知を生成して外部端末に送信し、前記取り外し情報受信時には在宅終了情報を登録する手段とを有することを特徴とする在宅確認システム。
【請求項３】
充電器の着脱が可能なユーザ携帯端末と、訪問担当者携帯端末と、前記ユーザ携帯端末，前記訪問担当者携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、前記装着検出時には装着情報と前記位置情報とを、前記取り外し検出時には取り外し情報と前記位置情報とをそれぞれ前記在宅管理サーバに送信する手段とを有し、
前記在宅管理サーバは、受信した位置情報が予め登録されたユーザ自宅の位置情報であるかを照合する手段と、照合の結果、ユーザ自宅の位置情報であった場合に、前記装着情報受信時には在宅開始情報を登録するとともに該当ユーザが当日訪問予定のユーザかを検索する手段と、当日訪問予定のユーザであった場合にユーザ在宅通知を生成して前記訪問担当者携帯端末に送信する手段と、前記照合の結果、ユーザ自宅の位置情報であった場合に、前記取り外し情報受信時には在宅終了情報を登録する手段とを有し、
前記訪問担当者携帯端末は、前記ユーザ在宅通知を受信，表示する手段と、前記在宅管理サーバにアクセスし各ユーザの前記在宅開始情報，前記在宅終了情報を閲覧する手段とを有することを特徴とする在宅確認システム。
【請求項４】
充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記装着検出を契機として位置情報を取得する手段と、取得した位置情報が予め登録されたユーザ自宅の位置情報であるかを照合する手段と、照合の結果、ユーザ自宅の位置情報であった場合に、在宅情報を前記在宅管理サーバに送信する手段とを有し、
前記在宅管理サーバは、前記在宅情報を受信することによりユーザ在宅通知を生成して外部端末に送信する手段を有することを特徴とする在宅確認システム。
【請求項５】
充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、取得した位置情報が予め登録されたユーザ自宅の位置情報であるかを照合する手段と、照合の結果、ユーザ自宅の位置情報であった場合に、前記装着検出時には在宅開始情報を、前記取り外し検出時には在宅終了情報をそれぞれ前記在宅管理サーバに送信する手段とを有し、
前記在宅管理サーバは、前記在宅開始情報を受信して登録するとともにユーザ在宅通知を生成して外部端末に送信する手段と、前記在宅終了情報を受信して登録する手段とを有することを特徴とする在宅確認システム。
【請求項６】
充電器の着脱が可能なユーザ携帯端末と、訪問担当者携帯端末と、前記ユーザ携帯端末，前記訪問担当者携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、取得した位置情報が予め登録されたユーザ自宅の位置情報であるかを照合する手段と、照合の結果、ユーザ自宅の位置情報であった場合に、前記装着検出時には在宅開始情報を、前記取り外し検出時には在宅終了情報をそれぞれ前記在宅管理サーバに送信する手段とを有し、
前記在宅管理サーバは、前記在宅開始情報を受信して登録するとともに該当ユーザが当日訪問予定のユーザかを検索する手段と、当日訪問予定のユーザであった場合にユーザ在宅通知を生成して前記訪問担当者携帯端末に送信する手段と、前記在宅終了情報を受信して登録する手段とを有し、
前記訪問担当者携帯端末は、前記ユーザ在宅通知を受信，表示する手段と、前記在宅管理サーバにアクセスし各ユーザの前記在宅開始情報，前記在宅終了情報を閲覧する手段とを有することを特徴とする在宅確認システム。
【請求項７】
充電器が装着されたことを検出する手段と、前記装着検出を契機として位置情報を取得する手段と、取得した位置情報を所定の外部装置に送信する手段とを有することを特徴とする携帯端末。
【請求項８】
充電器が装着されたことを検出する手段と、前記充電器が取り外されたことを検出する手段と、前記装着または取り外し検出を契機として位置情報を取得する手段と、前記装着検出時には装着情報と前記位置情報とを、前記取り外し検出時には取り外し情報と前記位置情報とをそれぞれ所定の外部装置に送信する手段とを有することを特徴とする携帯端末。
【請求項９】
充電器が装着されたことを検出する手段と、前記装着検出を契機として位置情報を取得する手段と、取得した位置情報が予め登録されたユーザ自宅の位置情報であるかを照合する手段と、照合の結果、ユーザ自宅の位置情報であった場合に、在宅情報を所定の外部装置に送信する手段とを有することを特徴とする携帯端末。
【請求項１０】
充電器が装着されたことを検出する手段と、前記充電器が取り外されたことを検出する手段と、前記装着または取り外し検出を契機として位置情報を取得する手段と、取得した位置情報が予め登録されたユーザ自宅の位置情報であるかを照合する手段と、照合の結果、ユーザ自宅の位置情報であった場合に、前記装着検出時には在宅開始情報を、前記取り外し検出時には在宅終了情報をそれぞれ所定の外部装置に送信する手段とを有することを特徴とする携帯端末。
【請求項１１】
ユーザ携帯端末は充電器が装着されたことを契機に位置情報を取得して第１の外部装置に送信し、前記第１の外部装置は受信した位置情報が予め登録されたユーザ自宅の位置情報であるかを照合し、ユーザ自宅の位置情報であった場合にユーザ在宅通知を生成して第２の外部装置に送信することを特徴とする在宅確認方法。
【請求項１２】
ユーザ携帯端末は充電器の装着または取り外しを契機に位置情報を取得し、前記装着時には取得した位置情報と装着情報とを、前記取り外し時には取得した位置情報と取り外し情報とをそれぞれ第１の外部装置に送信し、前記第１の外部装置は受信した位置情報が予め登録されたユーザ自宅の位置情報であるかを照合し、ユーザ自宅の位置情報であった場合に、前記装着情報受信時には在宅開始情報を登録するとともにユーザ在宅通知を生成して第２の外部装置に送信し、前記取り外し情報受信時には在宅終了情報を登録することを特徴とする在宅確認方法。
【請求項１３】
ユーザ携帯端末は充電器が装着されたことを契機に位置情報を取得して予め登録されたユーザ自宅の位置情報と照合し、ユーザ自宅の位置情報であった場合に在宅情報を第１の外部装置に送信し、前記第１の外部装置は前記在宅情報受信によりユーザ在宅通知を生成して第２の外部装置に送信することを特徴とする在宅確認方法。
【請求項１４】
ユーザ携帯端末は充電器の装着または取り外しを契機に位置情報を取得して予め登録されたユーザ自宅の位置情報と照合し、ユーザ自宅の位置情報であった場合に、前記装着時には在宅開始情報を、前記取り外し時には在宅終了情報をそれぞれ第１の外部装置に送信し、前記第１の外部装置は前記在宅開始情報を受信して登録するとともにユーザ在宅通知を生成して第２の外部装置に送信し、前記在宅終了情報を受信して登録することを特徴とする在宅確認方法。
【請求項１５】
充電器が装着されたことを検出する機能、前記装着検出を契機として位置情報を取得する機能、取得した位置情報を所定の外部装置に送信する機能、をコンピュータに実現させるためのプログラム。
【請求項１６】
充電器が装着されたことを検出する機能、前記充電器が取り外されたことを検出する機能、前記装着または取り外し検出を契機として位置情報を取得する機能、前記装着検出時には装着情報と前記位置情報とを、前記取り外し検出時には取り外し情報と前記位置情報とをそれぞれ所定の外部装置に送信する機能、をコンピュータに実現させるためのプログラム。
【請求項１７】
充電器が装着されたことを検出する機能、前記装着検出を契機として位置情報を取得する機能、取得した位置情報が予め登録されたユーザ自宅の位置情報であるかを照合する機能、照合の結果、ユーザ自宅の位置情報であった場合に、在宅情報を所定の外部装置に送信する機能、をコンピュータに実現させるためのプログラム。
【請求項１８】
充電器が装着されたことを検出する機能、前記充電器が取り外されたことを検出する機能、前記装着または取り外し検出を契機として位置情報を取得する機能、取得した位置情報が予め登録されたユーザ自宅の位置情報であるかを照合する機能、照合の結果、ユーザ自宅の位置情報であった場合に、前記装着検出時には在宅開始情報を、前記取り外し検出時には在宅終了情報をそれぞれ所定の外部装置に送信する機能、をコンピュータに実現させるためのプログラム。
【発明の詳細な説明】
【技術分野】
【０００１】
本発明は、在宅確認システム，方法，携帯端末およびプログラムに関し、特に携帯端末の位置情報を基に在宅か否かを確認する在宅確認システム，方法，携帯端末およびプログラムに関する。
【背景技術】
【０００２】
携帯端末の位置情報を基に在宅か否かを確認する方法は、例えば、特開２００３−２７４０３７号公報（特許文献１）に記載されている。この特許文献１においては、移動端末が何れかの基地局の交信可能エリアに入る度に位置情報を取得し、取得した位置情報を移動端末ＩＤとともに位置情報管理局に送信している。位置情報管理局は受信した位置情報と予め登録された該当ユーザの自宅位置情報とを比較することにより、ユーザが在宅か留守かを判断する。そして、判断の結果、在宅の場合には位置情報管理局は何もせず移動端末からの次の送信を待ち、留守の場合にはユーザ自宅のセキュリティ端末装置を警備モードに設定するようにしている。
【０００３】
【特許文献１】特開２００３−２７４０３７号公報（段落「００４０」〜「００４３」、図１）
【発明の開示】
【発明が解決しようとする課題】
【０００４】
上述した特許文献１に記載の発明においては、移動端末が何れかの基地局の交信可能エリアに入る度に、位置情報を取得して位置情報管理局に送信している。これは、特許文献１の発明の目的がユーザの留守中にユーザ自宅のセキュリティ端末装置を警備モードに設定することであるため、ユーザが留守にしていないかを識別するために行われている。しかし、移動端末としては、交信可能な基地局が替わる度に位置情報を取得して位置情報管理局に送信しなければならないため、移動に伴った頻繁な交信を余儀なくされるという問題がある。これにより、位置情報送信のための通信費用もかさむことになる。
【０００５】
一方、ユーザの在宅時に訪問する集金業務や点検業務に着目すると、留守の場合には移動端末から位置情報等の在宅確認情報を受信する必要はなく、在宅可能性が高い場合にだけ在宅確認情報を受信するようにすることが望ましい。
【０００６】
本発明は、以上の問題を解決する在宅確認システム，方法，携帯端末およびプログラムを提供することを目的とする。
【課題を解決するための手段】
【０００７】
本発明の第１の在宅確認システムは、充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記装着検出を契機として位置情報を取得する手段と、取得した位置情報を前記在宅管理サーバに送信する手段とを有し、
前記在宅管理サーバは、受信した位置情報が予め登録されたユーザ自宅の位置情報であるかを照合する手段と、照合の結果、ユーザ自宅の位置情報であった場合に、ユーザ在宅通知を生成して外部端末に送信する手段とを有する。
【０００８】
本発明の第２の在宅確認システムは、充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、前記装着検出時には装着情報と前記位置情報とを、前記取り外し検出時には取り外し情報と前記位置情報とをそれぞれ前記在宅管理サーバに送信する手段とを有し、
前記在宅管理サーバは、受信した位置情報が予め登録されたユーザ自宅の位置情報であるかを照合する手段と、照合の結果、ユーザ自宅の位置情報であった場合に、前記装着情報受信時には在宅開始情報を登録するとともにユーザ在宅通知を生成して外部端末に送信し、前記取り外し情報受信時には在宅終了情報を登録する手段とを有する。
【０００９】
本発明の第３の在宅確認システムは、充電器の着脱が可能なユーザ携帯端末と、訪問担当者携帯端末と、前記ユーザ携帯端末，前記訪問担当者携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、前記装着検出時には装着情報と前記位置情報とを、前記取り外し検出時には取り外し情報と前記位置情報とをそれぞれ前記在宅管理サーバに送信する手段とを有し、
前記在宅管理サーバは、受信した位置情報が予め登録されたユーザ自宅の位置情報であるかを照合する手段と、照合の結果、ユーザ自宅の位置情報であった場合に、前記装着情報受信時には在宅開始情報を登録するとともに該当ユーザが当日訪問予定のユーザかを検索する手段と、当日訪問予定のユーザであった場合にユーザ在宅通知を生成して前記訪問担当者携帯端末に送信する手段と、前記照合の結果、ユーザ自宅の位置情報であった場合に、前記取り外し情報受信時には在宅終了情報を登録する手段とを有し、
前記訪問担当者携帯端末は、前記ユーザ在宅通知を受信，表示する手段と、前記在宅管理サーバにアクセスし各ユーザの前記在宅開始情報，前記在宅終了情報を閲覧する手段とを有する。
【００１０】
本発明の第４の在宅確認システムは、充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記装着検出を契機として位置情報を取得する手段と、取得した位置情報が予め登録されたユーザ自宅の位置情報であるかを照合する手段と、照合の結果、ユーザ自宅の位置情報であった場合に、在宅情報を前記在宅管理サーバに送信する手段とを有し、
前記在宅管理サーバは、前記在宅情報を受信することによりユーザ在宅通知を生成して外部端末に送信する手段を有する。
【００１１】
本発明の第５の在宅確認システムは、充電器の着脱が可能なユーザ携帯端末と、前記ユーザ携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、取得した位置情報が予め登録されたユーザ自宅の位置情報であるかを照合する手段と、照合の結果、ユーザ自宅の位置情報であった場合に、前記装着検出時には在宅開始情報を、前記取り外し検出時には在宅終了情報をそれぞれ前記在宅管理サーバに送信する手段とを有し、
前記在宅管理サーバは、前記在宅開始情報を受信して登録するとともにユーザ在宅通知を生成して外部端末に送信する手段と、前記在宅終了情報を受信して登録する手段とを有する。
【００１２】
本発明の第６の在宅確認システムは、充電器の着脱が可能なユーザ携帯端末と、訪問担当者携帯端末と、前記ユーザ携帯端末，前記訪問担当者携帯端末にネットワークを介して接続される在宅管理サーバとを備えた在宅確認システムであって、
前記ユーザ携帯端末は、前記充電器が装着されたことを検出する手段と、前記充電器が取り外されたことを検出する手段と、前記装着または取り外し検出を契機として位置情報を取得する手段と、取得した位置情報が予め登録されたユーザ自宅の位置情報であるかを照合する手段と、照合の結果、ユーザ自宅の位置情報であった場合に、前記装着検出時には在宅開始情報を、前記取り外し検出時には在宅終了情報をそれぞれ前記在宅管理サーバに送信する手段とを有し、
前記在宅管理サーバは、前記在宅開始情報を受信して登録するとともに該当ユーザが当日訪問予定のユーザかを検索する手段と、当日訪問予定のユーザであった場合にユーザ在宅通知を生成して前記訪問担当者携帯端末に送信する手段と、前記在宅終了情報を受信して登録する手段とを有し、
前記訪問担当者携帯端末は、前記ユーザ在宅通知を受信，表示する手段と、前記在宅管理サーバにアクセスし各ユーザの前記在宅開始情報，前記在宅終了情報を閲覧する手段とを有することを特徴とする在宅確認システム。
【００１３】
本発明の第１の携帯端末は、充電器が装着されたことを検出する手段と、前記装着検出を契機として位置情報を取得する手段と、取得した位置情報を所定の外部装置に送信する手段とを有する。
【００１４】
本発明の第２の携帯端末は、充電器が装着されたことを検出する手段と、前記充電器が取り外されたことを検出する手段と、前記装着または取り外し検出を契機として位置情報を取得する手段と、前記装着検出時には装着情報と前記位置情報とを、前記取り外し検出時には取り外し情報と前記位置情報とをそれぞれ所定の外部装置に送信する手段とを有する。
【００１５】
本発明の第３の携帯端末は、充電器が装着されたことを検出する手段と、前記装着検出を契機として位置情報を取得する手段と、取得した位置情報が予め登録されたユーザ自宅の位置情報であるかを照合する手段と、照合の結果、ユーザ自宅の位置情報であった場合に、在宅情報を所定の外部装置に送信する手段とを有する。
【００１６】
本発明の第４の携帯端末は、充電器が装着されたことを検出する手段と、前記充電器が取り外されたことを検出する手段と、前記装着または取り外し検出を契機として位置情報を取得する手段と、取得した位置情報が予め登録されたユーザ自宅の位置情報であるかを照合する手段と、照合の結果、ユーザ自宅の位置情報であった場合に、前記装着検出時には在宅開始情報を、前記取り外し検出時には在宅終了情報をそれぞれ所定の外部装置に送信する手段とを有する。
【００１７】
本発明の第１の在宅確認方法は、ユーザ携帯端末は充電器が装着されたことを契機に位置情報を取得して第１の外部装置に送信し、前記第１の外部装置は受信した位置情報が予め登録されたユーザ自宅の位置情報であるかを照合し、ユーザ自宅の位置情報であった場合にユーザ在宅通知を生成して第２の外部装置に送信することを特徴とする。
【００１８】
本発明の第２の在宅確認方法は、ユーザ携帯端末は充電器の装着または取り外しを契機に位置情報を取得し、前記装着時には取得した位置情報と装着情報とを、前記取り外し時には取得した位置情報と取り外し情報とをそれぞれ第１の外部装置に送信し、前記第１の外部装置は受信した位置情報が予め登録されたユーザ自宅の位置情報であるかを照合し、ユーザ自宅の位置情報であった場合に、前記装着情報受信時には在宅開始情報を登録するとともにユーザ在宅通知を生成して第２の外部装置に送信し、前記取り外し情報受信時には在宅終了情報を登録することを特徴とする。
【００１９】
本発明の第３の在宅確認方法は、ユーザ携帯端末は充電器が装着されたことを契機に位置情報を取得して予め登録されたユーザ自宅の位置情報と照合し、ユーザ自宅の位置情報であった場合に在宅情報を第１の外部装置に送信し、前記第１の外部装置は前記在宅情報受信によりユーザ在宅通知を生成して第２の外部装置に送信することを特徴とする。
【００２０】
本発明の第４の在宅確認方法は、ユーザ携帯端末は充電器の装着または取り外しを契機に位置情報を取得して予め登録されたユーザ自宅の位置情報と照合し、ユーザ自宅の位置情報であった場合に、前記装着時には在宅開始情報を、前記取り外し時には在宅終了情報をそれぞれ第１の外部装置に送信し、前記第１の外部装置は前記在宅開始情報を受信して登録するとともにユーザ在宅通知を生成して第２の外部装置に送信し、前記在宅終了情報を受信して登録することを特徴とする。
【００２１】
本発明の第１のプログラムは、充電器が装着されたことを検出する機能、前記装着検出を契機として位置情報を取得する機能、取得した位置情報を所定の外部装置に送信する機能、をコンピュータに実現させる。
【００２２】
本発明の第２のプログラムは、充電器が装着されたことを検出する機能、前記充電器が取り外されたことを検出する機能、前記装着または取り外し検出を契機として位置情報を取得する機能、前記装着検出時には装着情報と前記位置情報とを、前記取り外し検出時には取り外し情報と前記位置情報とをそれぞれ所定の外部装置に送信する機能、をコンピュータに実現させる。
【００２３】
本発明の第３のプログラムは、充電器が装着されたことを検出する機能、前記装着検出を契機として位置情報を取得する機能、取得した位置情報が予め登録されたユーザ自宅の位置情報であるかを照合する機能、照合の結果、ユーザ自宅の位置情報であった場合に、在宅情報を所定の外部装置に送信する機能、をコンピュータに実現させる。
【００２４】
本発明の第４のプログラムは、充電器が装着されたことを検出する機能、前記充電器が取り外されたことを検出する機能、前記装着または取り外し検出を契機として位置情報を取得する機能、取得した位置情報が予め登録されたユーザ自宅の位置情報であるかを照合する機能、照合の結果、ユーザ自宅の位置情報であった場合に、前記装着検出時には在宅開始情報を、前記取り外し検出時には在宅終了情報をそれぞれ所定の外部装置に送信する機能、をコンピュータに実現させる。
【発明の効果】
【００２５】
本発明は、ユーザが充電器を携帯端末に接続したことを契機に位置情報を取得し、ユーザの在宅確認情報を在宅管理サーバに送信するようにしているため、ユーザの在宅可能性が高い場合に限定した在宅確認が可能になる。これにより、在宅管理サーバに対する定期的な在宅確認情報送信、外出中の頻繁な在宅確認情報送信、ユーザ操作による在宅確認情報送信等を行わなくても、効率の良い在宅確認が可能になるという効果がある。
【発明を実施するための最良の形態】
【００２６】
本発明を実施するための最良の形態について図面を参照して詳細に説明する。
【００２７】
図１は、本発明の一実施の形態の構成を示す図であり、充電器１０と、ユーザ携帯端末２０と、位置情報提供サーバ３０と、在宅管理サーバ４０と、訪問担当者携帯端末５０とを備えている。なお、ユーザ携帯端末２０，位置情報提供サーバ３０，在宅管理サーバ４０，訪問担当者携帯端末５０はインターネット等のネットワーク１００を介して相互に接続される。また、ユーザ携帯端末２０，訪問担当者携帯端末５０はそれぞれ基地局６０，基地局７０を介してネットワーク１００に接続される。
【００２８】
充電器１０は、ユーザ携帯端末２０に接続され、ユーザ携帯端末２０の内部に格納されている電池の充電を行う充電装置である。
【００２９】
ユーザ携帯端末２０は、ユーザが携帯する携帯電話機，ＰＨＳ（Personal HandyphoneSystem），ＰＤＡ（Personal Digital Assistance）等の携帯情報端末である。このユーザ携帯端末２０は、充電器接続部２１と、着脱検出部２２と、電池２３と、制御部２４と、記憶部２５と、無線部２６とを備えている。充電器接続部２１は、充電器１０とユーザ携帯端末２０とを接続するためのコネクタ等である。着脱検出部２２は、充電器１０がユーザ携帯端末２０に接続（装着）されているか否かを検出する。この着脱検出の具体的な手段としては、例えば、電池２３に対する充電が行われているかを検出したり、充電器１０から充電器接続部２１の空き端子を介して装着信号を受信したりすることが考えられる。また、特開平７−２８３７７７号公報に記載されているように、充電用端子間の電位差を測定することでもよい。さらに、ユーザ携帯端末２０を充電器１０の置き台に載置して充電する方法を採っている場合は、特開２００３−２８９３６３号公報に記載されているように、置き台に備えられたマグネットを携帯端末内蔵の磁気センサが検出する方法であってもよい。
【００３０】
制御部２４は、ＣＰＵ（Central Processing Unit）等の制御装置であり、プログラムにより動作を制御される。なお、本発明の動作を制御するプログラムは、予め在宅管理サーバ４０からダウンロードし図示しないＲＯＭ（Read Only Memory）に格納しておくものとする。この制御部２４は、着脱検出部２２が充電器１０の装着または取り外しを検出したことをトリガー（契機）にして、位置情報提供サーバ３０から位置情報を取得する機能と、取得した位置情報を在宅管理サーバ４０に送信する機能とを備えている。記憶部２５は、読み出し，書き込み可能な記憶装置であり、位置情報提供サーバ３０，在宅管理サーバ４０のアドレスや自端末の携帯端末ＩＤ（Identification）を予め記憶している。ここで、携帯端末ＩＤとは、ユーザ携帯端末２０を一意に識別可能な、例えば電話番号である。この他、在宅管理サーバ４０におけるユーザ情報登録時にユーザ毎に異なる携帯端末ＩＤを生成、付与するようにしてもよい。
【００３１】
位置情報提供サーバ３０は、ネットワーク１００を介して携帯端末の位置情報を提供するワークステーション・サーバ等の情報処理装置であり、プロバイダや位置情報提供業者等により設置される。この位置情報提供サーバ３０は、例えば、携帯端末，基地局間の電波受信強度を基に携帯端末と複数の基地局とのそれぞれの距離を求めることにより位置を取得し、緯度／経度または地域，住所等の位置情報に変換してユーザ携帯端末２０に提供する。
【００３２】
在宅管理サーバ４０は、ワークステーション・サーバ等の情報処理装置であり、点検や集金等のためのユーザ宅訪問を必要とする業者等により設置，運営される。この在宅管理サーバ４０は、制御部４１と、記憶部４２とを備えている。制御部４１は、ＣＰＵ等の制御装置であり、プログラムにより動作を制御される。この制御部４１は、
・ユーザ携帯端末２０から受信した位置情報がユーザ自宅の位置情報かを照合する機能。
・ユーザ自宅の位置情報を受信し、かつ、そのユーザが当日訪問予定であった場合に、訪問担当者の訪問担当者携帯端末５０にユーザの在宅通知メールを送信する機能。
・各ユーザの在宅開始日時および在宅終了日時の履歴を登録する機能。
・定期的に（例えば、日付が替わる都度）当日訪問ユーザデータベース４２２に該当データを登録，更新する機能。この当日データの登録，更新は前日のデータを消去した後に行われる。なお、上記該当データについては、図示しない訪問業務スケジュールデータベース（例えば、日別の訪問先ユーザ名とユーザ携帯端末ＩＤ、対応する訪問担当者名と訪問担当者メールアドレス、訪問目的等を含む）から制御部４１が抽出する。
の各機能を備えている。
【００３３】
記憶部４２は、読み出し，書き込み可能な記憶装置であり、ユーザ情報データベース４２１と、当日訪問ユーザデータベース４２２と、ユーザ在宅履歴データベース４２３とを含んでいる。ユーザ情報データベース４２１には、図２（ユーザ情報データベース４２１に格納されるデータの一例を示す図）に示すデータが予め登録されている。例えば、ユーザ携帯端末ＩＤ，氏名，住所，電話番号，メールアドレス，ユーザ自宅の位置情報等である。当日訪問ユーザデータベース４２２には、図３（当日訪問ユーザデータベース４２２に格納されるデータの一例を示す図）に示すデータが登録される。例えば、ユーザ携帯端末ＩＤ，訪問担当者名，訪問担当者メールアドレス，訪問目的等が登録される。なお、この当日訪問ユーザデータベース４２２へのデータ登録，更新は、制御部４１により定期的に行われる。ユーザ在宅履歴データベース４２３には、図４（ユーザ在宅履歴データベース４２３に格納されるデータの一例を示す図）に示すデータが登録される。例えば、ユーザ携帯端末ＩＤ毎に、在宅開始日時および在宅終了日時が制御部４１により在宅履歴として登録される。なお、在宅開始とはユーザが帰宅したことを意味し、詳細には、ユーザが帰宅してユーザ携帯端末２０に充電器１０を装着することにより在宅開始と見なす。また、在宅終了とはユーザが外出したことを意味し、詳細には、ユーザが外出時にユーザ携帯端末２０から充電器１０を取り外すことにより在宅終了と見なす。
【００３４】
訪問担当者携帯端末５０は、点検や集金等のためにユーザ宅に出向く訪問担当者が携帯する携帯電話機，ＰＨＳ，ＰＤＡ等の携帯情報端末である。この訪問担当者携帯端末５０は、電子メール受信機能と、ネットワーク１００を介して在宅管理サーバ４０にアクセスしデータベースを閲覧する機能とを備えている。
【００３５】
次に、本発明の一実施の形態の動作について図１〜図５を参照して説明する。図５は、本発明の一実施の形態の動作を示すフローチャートである。
【００３６】
図５を参照すると、まず、ユーザが充電器１０をユーザ携帯端末２０に接続すると、着脱検出部２２が充電器接続部２１の接続（装着）を検出して制御部２４に通知するとともに、充電器１０が電池２３の充電を開始する（ステップＡ１）。
【００３７】
充電器１０が装着されたことを通知された制御部２４は、位置情報提供サーバ３０にアクセスして電話番号等のユーザ携帯端末ＩＤを送信し、自端末の位置情報の取得要求を行う。なお、位置情報を取得するのは、ユーザ携帯端末２０の充電は自宅以外のコンビニエンスストアや職場等でも行う可能性があることから、現在地が自宅かどうかを確認するためである（ステップＡ２）。位置情報提供サーバ３０は、ユーザ携帯端末２０の位置を測位し、位置情報をユーザ携帯端末２０に送信する（ステップＡ３）。
【００３８】
位置情報を受信したユーザ携帯端末２０の制御部２４は、在宅管理サーバ４０にアクセスし、位置情報，携帯端末ＩＤおよび装着情報を送信する。このとき、制御部２４は在宅管理サーバ４０のアドレスおよび携帯端末ＩＤについては記憶部２５から取得する。装着情報は、充電器１０がユーザ携帯端末２０に装着された（接続された）ことを示す情報であり、後述する取り外し情報（充電器１０がユーザ携帯端末２０から取り外されたことを示す情報）と対をなすものである（ステップＡ４）。
【００３９】
在宅管理サーバ４０の制御部４１は、受信した位置情報がユーザ自宅の位置情報かを判断する。詳細には、制御部４１は、受信した携帯端末ＩＤに対応してユーザ情報データベース４２１に登録されている自宅の位置情報を取得し、受信した位置情報と照合する。このとき、位置情報の誤差を考慮し、例えば緯度，経度の数値の許容範囲を予めユーザ情報データベース４２１に登録しておくものとする（ステップＡ５）。
【００４０】
制御部４１は、位置情報の照合の結果、ユーザ携帯端末２０から受信した位置情報が上記許容範囲内になければ自宅ではないと判断し、処理を終了する。受信した位置情報が上記許容範囲内にあった場合は、制御部４１は自宅と判断して図示しない時計部から日時情報を取得する。そして、制御部４１は、受信した装着情報から在宅開始であると判断し、ユーザ在宅履歴データベース４２３の該当携帯端末ＩＤ対応に在宅開始日時情報を登録する（ステップＡ６，Ａ７）。
【００４１】
次に、制御部４１は、受信した携帯端末ＩＤが当日訪問ユーザデータベース４２２に登録されているかを確認する。登録されていなかった場合は、制御部４１は処理を終了する。登録されていた場合は、制御部４１はユーザ在宅メールを生成して訪問担当者携帯端末５０に送信する。このユーザ在宅メールの生成に関しては、例えば記憶部２５に予め登録されたユーザ在宅メールフォーマットを用い、ユーザ携帯端末ＩＤ，氏名，住所，電話番号，メールアドレスのユーザ情報や、訪問目的，在宅開始日時等を追加することにより生成する。これらの追加情報は、制御部４１がユーザ携帯端末ＩＤを基にユーザ情報データベース４２１，当日訪問ユーザデータベース４２２，ユーザ在宅履歴データベース４２３を参照して取得する。また、ユーザに対応する訪問担当者名および訪問担当者メールアドレスについては、制御部４１が当日訪問ユーザデータベース４２２を参照して取得する（ステップＡ８，Ａ９）。
【００４２】
ユーザ在宅メールを訪問担当者携帯端末５０により受信した訪問担当者は、受信メール内容を確認してユーザ宅を訪問する。また、必要に応じ、訪問担当者はユーザ携帯端末２０に電話やメールで連絡したり、在宅管理サーバ４０のユーザ在宅履歴データベース４２３のリアルタイムな在宅状況を閲覧したりすることも可能である（ステップＡ１０）。
【００４３】
以上、ユーザ携帯端末２０に充電器１０が装着された場合の動作について説明したが、次に、ユーザ携帯端末２０から充電器１０が取り外された場合の動作について説明する。
【００４４】
ユーザが充電器１０をユーザ携帯端末２０から取り外すと、着脱検出部２２が充電器接続部２１の取り外しを検出して制御部２４に通知する（ステップＡ１１）。
【００４５】
充電器１０が取り外されたことを通知された制御部２４は、位置情報提供サーバ３０にアクセスしてユーザ携帯端末ＩＤを送信し、自端末の位置情報の取得要求を行う（ステップＡ１２）。位置情報提供サーバ３０は、ユーザ携帯端末２０の位置を測位し、位置情報をユーザ携帯端末２０に送信する（ステップＡ１３）。
【００４６】
位置情報を受信したユーザ携帯端末２０の制御部２４は、在宅管理サーバ４０にアクセスし、位置情報，携帯端末ＩＤおよび取り外し情報を送信する。取り外し情報は、充電器１０がユーザ携帯端末２０から取り外されたことを示す情報である（ステップＡ１４）。
【００４７】
在宅管理サーバ４０の制御部４１は、受信した位置情報がユーザ自宅の位置情報かを判断する。詳細には、制御部４１は、受信した携帯端末ＩＤに対応してユーザ情報データベース４２１に登録されている自宅の位置情報を取得し、受信した位置情報と照合する。このとき、位置情報の誤差を考慮し、例えば緯度，経度の数値の許容範囲を予めユーザ情報データベース４２１に登録しておくものとする（ステップＡ１５）。
【００４８】
制御部４１は、位置情報の照合の結果、ユーザ携帯端末２０から受信した位置情報が上記許容範囲内になければ自宅ではないと判断し、処理を終了する。受信した位置情報が上記許容範囲内にあった場合は、制御部４１は自宅と判断して図示しない時計部から日時情報を取得する。そして、制御部４１は、受信した取り外し情報から在宅終了であると判断し、ユーザ在宅履歴データベース４２３の該当携帯端末ＩＤ対応に在宅終了日時情報を登録する（ステップＡ１６，Ａ１７）。
【００４９】
次に、本発明の他の実施の形態について説明する。
【００５０】
上述した一実施の形態においては、ユーザ携帯端末２０から在宅管理サーバ４０に位置情報を送信し、在宅管理サーバ４０において受信した位置情報がユーザ自宅の位置情報であるかを照合していた。本実施の形態においては、位置情報がユーザ自宅の位置情報であるかをユーザ携帯端末２０において照合する点が、一実施の形態と異なる。
【００５１】
このため、本実施の形態においては、ユーザ自宅位置情報をユーザ携帯端末２０の記憶部２５に予め登録しておくこととする。これに伴い、一実施の形態で行っていた在宅管理サーバ４０へのユーザ自宅位置情報の登録は、本実施の形態では不要となる。
【００５２】
次に、本実施の形態の動作について図５および図６を参照して説明する。図６は、本発明の他の実施の形態の動作を示すフローチャートである。
【００５３】
図６を参照すると、ステップＢ１〜Ｂ３の動作は、図５のステップＡ１〜Ａ３の動作に同じであるため、説明を省略する。
【００５４】
位置情報を受信したユーザ携帯端末２０の制御部２４は、位置情報提供サーバ３０から受信した位置情報がユーザ自宅の位置情報かを判断する。詳細には、制御部２４は、記憶部２５に登録されている自宅の位置情報を取得し、受信した位置情報と照合する。このとき、位置情報の誤差を考慮し、例えば緯度，経度の数値の許容範囲を予め記憶部２５に登録しておくものとする（ステップＢ４）。
【００５５】
制御部２４は、位置情報の照合の結果、受信した位置情報が上記許容範囲内になければ自宅ではないと判断し、処理を終了する。受信した位置情報が上記許容範囲内にあった場合は、制御部２４は在宅管理サーバ４０にアクセスし、携帯端末ＩＤおよび在宅開始情報を送信する。在宅開始情報は、充電器１０がユーザ携帯端末２０に装着された（接続された）ことを示す情報であり、後述する在宅終了情報（充電器１０がユーザ携帯端末２０から取り外されたことを示す情報）と対をなすものである（ステップＢ５，Ｂ６）。
【００５６】
在宅管理サーバ４０の制御部４１は、在宅開始情報を受信すると、図示しない時計部から日時情報を取得し、ユーザ在宅履歴データベース４２３の該当携帯端末ＩＤ対応に在宅開始日時情報を登録する（ステップＢ７）。
【００５７】
ステップＢ８〜Ｂ１３の動作は、図５のステップＡ８〜Ａ１３の動作に同じであるため、説明を省略する。
【００５８】
位置情報を受信したユーザ携帯端末２０の制御部２４は、位置情報提供サーバ３０から受信した位置情報がユーザ自宅の位置情報かを判断する。詳細には、制御部２４は、記憶部２５に登録されている自宅の位置情報を取得し、受信した位置情報と照合する。このとき、位置情報の誤差を考慮し、例えば緯度，経度の数値の許容範囲を予め記憶部２５に登録しておくものとする（ステップＢ１４）。
【００５９】
制御部２４は、位置情報の照合の結果、受信した位置情報が上記許容範囲内になければ自宅ではないと判断し、処理を終了する。受信した位置情報が上記許容範囲内にあった場合は、制御部２４は在宅管理サーバ４０にアクセスし、携帯端末ＩＤおよび在宅終了情報を送信する。在宅終了情報は、充電器１０がユーザ携帯端末２０から取り外されたことを示す情報である（ステップＢ１５，Ｂ１６）。
【００６０】
在宅管理サーバ４０の制御部４１は、在宅終了情報を受信すると、図示しない時計部から日時情報を取得し、ユーザ在宅履歴データベース４２３の該当携帯端末ＩＤ対応に在宅終了日時情報を登録する（ステップＢ１７）。
【００６１】
以上、本発明の一実施の形態および他の実施の形態について説明したが、次に、一実施の形態および他の実施の形態における応用例，変形例について説明する。
【００６２】
まず、ユーザ携帯端末２０における位置情報の取得については、位置情報提供サーバ３０から取得する代わりに、ユーザ携帯端末２０にＧＰＳ（Global Positioning System）機能を備えるようにしてもよい。
【００６３】
また、ユーザ携帯端末２０から在宅管理サーバ４０に直接アクセスして位置情報や在宅開始，終了情報等を送信する代わりに、これらの情報を電子メールで送信するようにしてもよい。
【００６４】
また、充電器１０の装着時および取り外し時に、ユーザ携帯端末２０から位置情報または在宅開始情報や在宅終了情報を送信する代わりに、充電器１０の装着時だけに限定して、ユーザ携帯端末２０から位置情報や在宅開始情報を送信するようにしてもよい。
【００６５】
以上説明した一実施の形態または他の実施の形態においては、充電器１０をユーザ携帯端末２０に接続するだけで位置情報を取得し、ユーザの在宅確認情報を在宅管理サーバ４０に送信することが可能である。ユーザが充電器１０をユーザ携帯端末２０に接続するのは自宅に居る場合が多いため、ユーザの在宅可能性が高い場合にだけ在宅管理サーバ４０に在宅確認情報を送信することになる。これにより、在宅管理サーバ４０に対する定期的な在宅確認情報送信、移動中の頻繁な在宅確認情報送信、ユーザ操作による在宅確認情報送信等を行わなくても、効率の良い在宅確認が可能になるという効果がある。なお、在宅管理を行う業者は、ユーザに対し、点検や集金等が予定されている日は自宅に戻ったらユーザ携帯端末２０に充電器１０を装着し、外出するときは充電器１０を取り外すようユーザに依頼しておくことが望ましい。これにより、ユーザ携帯端末２０の充電を毎日は行わないユーザでも、充電器１０の接続，取り外しを行うため、確実な在宅確認が可能になる。
【００６６】
また、一実施の形態または他の実施の形態においては、充電器装着時すなわち在宅開始日時および充電器取り外し時すなわち在宅終了日時を、ユーザ在宅履歴データベース４２３に在宅履歴としてリアルタイムに登録している。このため、訪問担当者はユーザの在宅状況をリアルタイムに参照できるという効果がある。
【００６７】
また、他の実施の形態においては、充電器接続，取り外し時に取得した位置情報がユーザ自宅の位置情報であるかをユーザ携帯端末２０で照合し、ユーザ自宅の位置情報であった場合にだけ在宅管理サーバ４０に通知するようにしている。換言すれば、自宅以外でユーザ携帯端末２０を充電したときには在宅管理サーバ４０に通知しないため、一実施の形態に比べ、在宅時以外の不要な通信を排除できる効果がさらにある。また、在宅管理サーバ４０における位置情報のチェックが不要になるという効果もある。
【図面の簡単な説明】
【００６８】
【図１】本発明の一実施の形態の構成を示す図である。
【図２】ユーザ情報データベース４２１に格納されるデータの一例を示す図である。
【図３】当日訪問ユーザデータベース４２２に格納されるデータの一例を示す図である。
【図４】ユーザ在宅履歴データベース４２３に格納されるデータの一例を示す図である。
【図５】本発明の一実施の形態の動作を示すフローチャートである。
【図６】本発明の他の実施の形態の動作を示すフローチャートである。
【符号の説明】
【００６９】
１０    充電器
２０    ユーザ携帯端末
２１    充電器接続部
２２    着脱検出部
２３    電池
２４    制御部
２５    記憶部
２６    無線部
３０    位置情報提供サーバ
４０    在宅管理サーバ
４１    制御部
４２    記憶部
４２１    ユーザ情報データベース
４２２    当日訪問ユーザデータベース
４２３    ユーザ在宅履歴データベース
５０    訪問担当者携帯端末
６０，７０    基地局
１００    ネットワーク
【図１】
2006020075.tif 000003
【図２】
2006020075.tif 000004
【図３】
2006020075.tif 000005
【図４】
2006020075.tif 000006
【図５】
2006020075.tif 000007
【図６】
2006020075.tif 000008